(57)【要約】【課題】比較的簡単かつ安価に製作できると共に、外観体裁にも優れ、廃棄処分上も有利な紙製携帯電話機用スタンドを提供する。【解決手段】１枚の腰のある厚紙ないしは段ボールから作製され、底面部から立ち上げられる後傾正面板１と、該後傾正面板１を支持する背板１０と、正面板の側面を覆う左右両側板１１、１１とを備えている。後傾正面板１には少なくとも携帯電話機Ｔの下部が挿入される窓孔２が設けられている。窓孔２は、その内縁上辺部が携帯電話機Ｔの背面が凭れかけられる高さ位置にあるものと設定されている。左右両側板は斜状辺１１ａを有する台形状外壁１１と、三角形状内壁１２及び方形状内壁１３とからなる二重壁に構成されている。【選択図】　　　図１
0003097131.tif 000002
【実用新案登録請求の範囲】
【請求項１】
１枚の腰のある厚紙ないしは段ボールから作製され、
底面部から立ち上げられる後傾正面板と、該後傾正面板を支持する背板と、正面板の側面を覆う左右両側板とを備え、
前記後傾正面板に少なくとも携帯電話機の下部が挿入される窓孔が設けられていることを特徴とする紙製携帯電話機用スタンド。
【請求項２】
窓孔は、その内縁上辺部が携帯電話機の背面が凭れかけられる高さ位置にあるものと設定されている請求項１に記載の紙製携帯電話機用スタンド。
【請求項３】
底面部が、後傾正面板に連設された第１底面部材と、背板に連設され前記第１底面部材に連結される第２底面部材とからなり、該第２底面部材先端の差し込み片が第１底面部材のスリット横孔に差し込まれることにより、底面部が形成されてなる請求項１に記載の紙製携帯電話機用スタンド。
【請求項４】
左右両側板が、背板の上端を始端とする斜状辺を有する台形状に形成されると共に、内外二重壁に構成され、前記外壁と内壁との間に、第２底面部材の左右両側に連設された差し込み片が差し込まれてなる請求項３に記載の紙製携帯電話機用スタンド。
【請求項５】
底面部の内面にクッション部が設けられてなる請求項１ないし請求項４に記載の紙製携帯電話機用スタンド。
【請求項６】
クッション部が、第１底面部材に連設されてなる請求項５に記載の紙製携帯電話機用スタンド。
【考案の詳細な説明】
【０００１】
【考案の属する技術分野】
この考案は、携帯電話機用スタンド、特に店頭における陳列台として、あるいはユーザーの携帯電話機用置台として好適な紙製携帯電話機用スタンドに関する。
【０００２】
【従来の技術】
従来、携帯電話ショップの店頭においては、後傾姿勢を取る前板と該前板の後傾姿勢を支持する後板とからなり、携帯電話機を前記前板に持たせかけるようにして陳列するものとなされた合成樹脂製陳列用スタンドが用いられている（特開２００１−９２３６１号公報、特開２００１−８７１００号公報参照）。
【０００３】
また、一枚の硬質紙を折り曲げて前板、後板及び底板からなる三角形状に組み立て、前板に粘着剤を塗布した粘着マットを固定した携帯電話機用スタンドも提案されている（実用新案登録第３０７２３８１号公報参照）。
【０００４】
【特許文献１】
特開２００１−９２３６１号公報（図１）
【０００５】
【特許文献２】
特開２００１−８７１００号公報（図１）
【０００６】
【特許文献３】
実用新案登録第３０７２３８１号公報（図４）
【０００７】
【考案が解決しようとする課題】
而して、前者の合成樹脂製の携帯電話機用スタンドは、成形物であるためにその金型製作に多大のコストを要する。また、単純に前板と後板とが組合されてなるものであるために、いささか外観体裁が良くない。これらに加えて、合成樹脂製であるために、印刷を行い難い上に廃棄処分上もいささか問題がある。
【０００８】
一方、後者の硬質紙製の携帯電話機用スタンドは、合成樹脂製スタンドに比べると安価に製作できるが、前板に粘着剤を塗布した粘着マットを固定することはいささか面倒であるし、粘着剤による携帯電話機の固定は、種々の弊害をもたらすことになる。先ず第１に、前板から落下しないような粘着力により固定されている携帯電話機を前板から引き剥がす操作は容易ではない。第２に、粘着剤の一部が携帯電話機外面に移行してしまうと、携帯電話機の手触りが悪くなったり、ゴミや埃が付着してしまう。第３に、携帯電話機を引き剥がして粘着剤を露出させたままにしておくと、粘着剤にゴミや埃が付着することにより粘着力が徐々に減少することになる。従って、このような硬質紙製携帯電話機用スタンドは、陳列台として使用する場合はともかく、ユーザーが携帯電話機不使用時のスタンドとして机上に置いて使用するためには使い勝手が良くない。
【０００９】
この考案は、上記のような事情に鑑み、比較的簡単かつ安価に製作できると共に、外観体裁にも優れ、廃棄処分上も有利な帯電話機用スタンドを提供することを目的とするものである。
【００１０】
【課題を解決するための手段】
而して、上記目的を達成するために、この考案は、１枚の腰のある厚紙ないしは段ボールから作製され、底面部から立ち上げられる後傾正面板と、該後傾正面板を支持する背板と、正面板の側面を覆う左右両側板とを備え、前記後傾正面板に少なくとも携帯電話機の下部が挿入される窓孔が設けられてなることを特徴とする紙製携帯電話機用スタンド、を要旨とする。
【００１１】
このによれば、１枚の腰のある厚紙ないしは段ボールから作製されているので、安価に製作することができることはもとより、後傾正面板の側面が左右両側板により覆われているので、厚紙ないしは段ボールの断面を隠蔽して外観体裁の良好な携帯電話機用スタンドを提供できる。また、紙製であるので、印刷が行いやすく、宣伝ツールとして最適であり、不用品としての廃棄処分も行いやすい。
【００１２】
窓孔は、その内縁上辺部が携帯電話機の背面が凭れかけられる高さ位置にあるものと設定されている場合には、簡単な操作で携帯電話機に後傾起立姿勢を取らせることができ、窓孔からの出し入れも行い易く使い勝手の良いものとなし得る。携帯電話機に起立姿勢を取らせるためには、例えば窓孔の下方、底面部の内面に携帯電話機下部を拘束保持する凹部を設けるようにしても良い。
【００１３】
底面部が、後傾正面板に連設された第１底面部材と、背板に連設され前記第２底面部材とに連結される第２底面部材とからなり、該第２底面部材先端の差し込み片が第１底面部材のスリット横孔に差し込まれることにより底面部が形成されてなる場合には、底面部を弛みのないものとして安定感に富んだ紙製携帯電話機用スタンドを提供できる。
【００１４】
左右両側板が、背板の上端を始端とする斜状辺を有する台形状に形成されている場合には、ディスプレイ時の携帯電話機を見やすくすると共に、より一層外観体裁の良好な携帯電話機用スタンドを提供できる。また、左右両側板が、内外二重壁に構成され、前記外壁と内壁との間に、底面部連結片の左右両側に連設された差し込み片が差し込まれてなる場合には、接着剤やステープルを用いることなく、所期する形態に組み立てることができると共に、その組立完成状態を確実に保持しうる紙製携帯電話機用スタンドを提供できる。
【００１５】
底面部の内面にはクッション部が設けられていることが好ましい。このクッション部が設けられる目的は、携帯電話機が窓孔に挿入、落下された時の衝撃を吸収して緩衝効果を奏することにあるから、他の部材との一体性及び材質の同一性を問われることはない。例えば、合成樹脂発泡体、同シート、不織布、ゴムあるいは綿等が用いられることもある。
【００１６】
しかし、好ましいのは正面板、背板等の他の部材から連設されること、すなわち携帯電話機用スタンドが１枚の紙から作成されることである。特に好ましいのは、クッション部が、第１底面部材に連設されたものであって、第２底面部材との間に緩衝空間を備えてなる板状に形成されていることである。
【００１７】
【考案の実施の形態】
以下、この考案に係る包装用箱を図面に示す実施形態に基づいて説明する。この実施形態の携帯電話機用スタンド（Ａ）は、主要部材である底面部（７）、窓孔（２）を有する後傾正面板（１）、該後傾正面板（１）を支持する背板（１０）、正面板（１）の側面を覆う左右両側板（１１）（１１）を始めとする全ての部位が一枚の段ボールから作成されている。
【００１８】
図４は、その展開状態を示すもので、この展開状態から所要箇所を折り曲げ、差し込み等の操作を経て、携帯電話機用スタンド（Ａ）が所期する形態に組み立てられるものである。なお、この展開状態は、組立状態において内面となる側を表面として表されているもので、該面は無垢であるが、裏面には、合成樹脂の薄層がコーテイングされたり、ラミネートされたりあるいは印刷層が設けられたりして美粧が施されているものである。
【００１９】
図４の展開状態において略々中央に位置している後傾正面板（１）は、その中央部に窓孔（２）を創出するためのＨ字状切目（３）が設けられている。前記Ｈ字状切目（３）の内側の部位は、Ｈ字状切目（３）の水平部（３ａ）を境にして、組立状態において内方に折り返される上下の折り返し片（４）（５）が切り起こし形成されるものとなされている。この展開状態において上方に位置するが、実際には窓孔（２）の下縁から内方に折り返される下部折り返し片（５）は、その先端が後述するクッション部（８）のクッション板部（８ｂ）の上面に当接するものと設定されている。
【００２０】
また、この後傾正面板（１）の左右両側には折目（ｆ）（ｆ）を介して三角形状折り込み片（６）（６）が連設されている。この三角形状折り込み片（６）（６）が内側に折り返されることにより後傾正面板（１）の側縁断面が露出しなくなるのである。
【００２１】
後傾正面板（１）の下縁（展開状態においては左方に位置している。）に折目（ａ）を介して底面部（７）を構成する第１底面部材（７ａ）が連設されている。この第１底面部材（７ａ）の長さ方向中間部には、後述する第２底面部材（７ｂ）の差し込み片（７ｄ）が挿入される横スリット孔（７ｃ）が設けられている。また、この第１底面部材（７ａ）の後縁からクッション部（８）の後脚片（８ａ）、クッション板部（８ｂ）、前脚片（８ｃ）及び第１底面部材（７ａ）の内面に重ね合わされる重合片（８ｄ）が、順次、折目（ｂ）（ｃ）（ｄ）（ｅ）を介して連設されている。
【００２２】
一方、後傾正面板（１）の上縁（展開状態においては左に位置している。）には、背板（１０）に重ね合わされる垂直片（９）が折目（ｉ）を介して連設されている。また、この垂直片（９）の上縁から折目（ｊ）（ｋ）を介して背板（１０）が連設されている。折目（ｊ）と折目（ｋ）が並行状に設けられているのは、左右両側板外壁（１１）（１１）と同内壁（１２）（１３）との間に隙間を生じさせるためである。前記垂直片（９）は、その左右両端には後述する三角形状内壁（１２）の切欠（１２ｂ）に嵌まり込む突部（９ａ）（９ａ）が突設される一方、左右両端の上端部には後述の左右両側板の斜状辺（１１ａ）（１１ａ）の上端部に覆い被さって段ボール断面を隠蔽するカバー部（９ｂ）（９ｂ）が設けられている。
【００２３】
前記背板（１０）は、その左右両側縁部に上下一対のスリット縦孔（１０ａ）（１０ｂ）（１０ａ）（１０ｂ）が設けられている。また、背板（１０）の左右両側には折目（ｍ）（ｍ）を介して背板の上端を始端とする斜状辺（１１ａ）を有する台形状に形成された左右両側板外壁（１１）（１１）が連設されている。この台形状左右両側板外壁（１１）（１１）の斜状辺（１１ａ）には折目（ｎ）（０）を介して三角形状内壁（１２）が連設される一方、斜状辺（１１ａ）の下方の前端垂直辺（１１ｂ）には折目（ｐ）（ｑ）を介して方形状内壁（１３）が連設されている。
【００２４】
前記各三角形状上部内壁（１２）の背板対応辺には前記縦スリット孔（１０ｂ）に挿入される突部（１２ａ）と、前記垂直片（９）の突部（９ａ）が嵌め込まれる切欠（１２ｂ）が設けられている。前記方形状下部（１３）の先端には、背板（１０）の前記縦スリット孔（１０ｂ）（１０ｂ）に挿入される突部（１３ａ）（１３ａ）が突設されている。
【００２５】
背板（１０）の下縁には折目（ｌ）を介して第２底面部材（７ｂ）が連設され、その先端に第１底面部材（７ａ）の横スリット孔（７ｃ）に差し込まれる差し込み片（７ｄ）が突設されている。この第２底面部材（７ｂ）の左右両側には側板外壁（１１）と内壁（１３）との間に差し込まれる一対の差し込み片（１４）（１４）が折目（ｒ）（ｒ）を介して連設されている。
【００２６】
而して、この携帯電話機用スタンドは、使用に供するまでは、図５に示すように（１２）（１３）を（１１）の内面に折り返し、折目（ｊ）から（９）（１）（７ａ）及びクッション部（８）を面一としたまま、（１）を背板（１０）の内面に重ねるように折り返す。あるいは、図６に示すようにクッション部（８）を第１底面部材（７ａ）の下方に潜り込ませるように折り返された扁平な折り畳み状態に置かれるものである。
【００２７】
次に、使用に際して、前記折り畳み状態から所期する形態への組立順序について説明すると、図７に示すように、正面板（１）、クッション部（８）等を上方に跳ね上げて、側板の三角形状内壁（１２）及び方形状内壁（１３）を側板外壁（１１）の内側に折り返した後、内外壁（１２）（１３）（１１）を合一的に背板（１０）と直角になるように折り曲げると共に、各内壁（１２）（１３）先端の突部（１２ａ）（１３ａ）（１２ａ）（１３ａ）を対応する縦スリット孔（１０ａ）（１０ｂ）（１０ａ）（１０ｂ）に挿入する。
【００２８】
その後、第２底面部材（７ｂ）両側の差し込み片（１４）（１４）を互いに対向するように内側に直角に折り曲げ、それらを図８に示すように、側板内外壁（１３）（１１）間に差し込む。この差し込みにより、左右両側板内外壁（１２）（１３）（１１）、背板（１０）及び第２底面部材（７ｂ）が強固に結合されることになる。
【００２９】
一方、他の部位については、図９に示すように、先ず、クッション部（８）が正面板（１）の下方において所定の形態を取れるように、予め第１底面部材（７ａ）の内側に折り返しておく。すなわち、前脚片（８ｃ）をクッション板部（８ｂ）の下方に直角に折り曲げつつ重合片（８ｄ）をクッション板部（８ｂ）の裏側に平行状に折り曲げ、後脚片（８ａ）を第１底面部材（７ａ）から立ち上げるように内側に直角に折り曲げると共に、前記重合片（８ｄ）を第１底面部材（７ａ）の内面に重合させながら、クッション板部（８ｂ）を第１底面部材（７ａ）と平行状に折り曲げる。そして、これらクッション部（８）が正面板（１）の下方に位置するべくこれらと共に第１底面部材（７ａ）を正面板（１）の内側に向けて折り曲げると同時に、正面板（１）の三角形状折り込み片（６）（６）を内側に折り曲げる。次に、正面板（１）を図９に示すように左右両側板（１１）（１１）（１２）（１２）（１３）（１３）間に位置させるべく、三角形状折り込み片（６）（６）を内壁（１２）（１２）（１３）（１３）に沿わせるようにしながら、第１底面部材（７ａ）を第２底面部材（７ｂ）の上面に重ね合わせるようにする。正面板（１）が左右両側板の内側に入り込んで、その上方の垂直片（９）が背板（１０）に近づいたら、垂直片（９）を、その両端の突部（９ａ）（９ａ）が三角形状内壁（１２）の切欠（１２ｂ）に嵌まり込むまで背板（１０）に強く押しつけるようにするとと、正面板（１）の所期する後傾状態が得られる。前記垂直片（９）の左右両端の上端部に設けられたカバー部（９ｂ）（９ｂ）が、左右両側板の斜状辺（１１ａ）（１１ａ）の上端部に覆い被さって段ボール断面が隠蔽されることになる。
【００３０】
そして、窓孔（２）の上折り返し片（４）を下方に向けて折り曲げる一方、下折り返し片（５）を、その先端がクッション板部（８ｂ）の上面に当接するまで、内側に折り曲げ、最後に第２底面部材（７ｂ）の差し込み片（７ｄ）を第１底面部材（７ａ）の横スリット孔（７ｃ）に差し込むことにより、図１に示すようなこの携帯電話機用スタンドの組立完成状態が得られる。上記説明から明らかなように、この組立状態においては、美粧が施された展開状態の裏面がこの携帯電話機用スタンドの外面となって現れるので、美粧性に優れた携帯電話機用スタンドが得られることになる。
【００３１】
この組立完了後の携帯電話機用スタンドの窓孔（２）に携帯電話機（Ｔ）を挿入し、その背面を窓孔内縁上辺部に凭れかけさせると、携帯電話機（Ｔ）の自然な後傾起立姿勢が得られる。携帯電話機（Ｔ）を窓孔（２）に挿入する際に、多少乱暴に落下させるように挿入したとしても、クッション部（８）がその衝撃を和らげるので、強い衝撃によって携帯電話機（Ｔ）に不具合が生じることもない。
【００３２】
図１０は、他の実施形態を示すもので、後傾正面板（１）上方の垂直片（２９）の高さが先の実施形態の垂直片（２９）の高さよりも大に設定され、文字、図形等を大きく表示できるものとなされている。また、全体の高さが大となっているので、二つ折り可能な携帯電話機を使用状態時の展開状態のまま立て掛けた場合にも良好な安定性が得られるので、店頭陳列用スタンドとして好適である。
【００３３】
他の部位も、垂直片（２９）の大きさに対応して先の実施形態の携帯電話機用スタンドの同一部位と大きさは異なっているが、各部位の機能は実質的に異なるところがないので、同一の符号が付されている。
【００３４】
【考案の効果】
上述の次第で、この考案は、１枚の腰のある厚紙ないしは段ボールから作製されているので、安価に製作することができることはもとより、後傾正面板の側面が左右両側板により覆われているので、厚紙ないしは段ボールの断面を隠蔽して外観体裁の良好な紙製携帯電話機用スタンドを提供できる。
【００３５】
前記窓孔が、その内縁上辺部が携帯電話機の背面が凭れかけられる高さ位置にあるものと設定されている場合には、簡単な操作で携帯電話機に後傾起立姿勢を取らせることができ、窓孔からの出し入れも行い易く使い勝手の良いものとなし得る。
【００３６】
底面部が、後傾正面板に連設された第１底面部材と、背板に連設され前記第２底面部材とに連結される第２底面部材とからなり、該第２底面部材先端の差し込み片が第１底面部材のスリット横孔に差し込まれることにより底面部が形成されてなる場合には、底面部を弛みのないものとして安定感に富んだ紙製携帯電話機用スタンドを提供できる。
【００３７】
左右両側板が、背板の上端を始端とする斜状辺を有する台形状に形成されている場合には、ディスプレイ時の携帯電話機を見やすくすると共に、より一層外観体裁の良好な紙製携帯電話機用スタンドを提供できる。
【００３８】
また、左右両側板が、内外二重壁に構成され、前記外壁と内壁との間に、底面部連結片の左右両側に連設された差し込み片が差し込まれてなる場合には、接着剤やステープルを用いることなく、所期する形態に組み立てることができると共に、その組立完成状態を確実に保持しうる紙製携帯電話機用スタンドを提供できる。
【００３９】
底面部の内面にクッション部が設けられている場合には、携帯電話機が窓孔に挿入、落下された時の衝撃がクッション部によって和らげられ、衝撃による携帯電話機の外傷、内部損傷等の不具合の発生を防止できる。
【００４０】
底面部が、第１底面部材から連設されている場合には、携帯電話機用スタンドを全体を１枚の紙から合理的に作成することができる。
【図面の簡単な説明】
【図１】この考案に係る紙製携帯電話機用スタンドの一実施形態の斜視図である。
【図２】同使用状態の斜視図である。
【図３】図１のＩＩＩ−ＩＩＩ線断面図である。
【図４】同展開状態の平面図である。
【図５】同折り畳み状態の平面図である。
【図６】同折り畳み状態の平面図である。
【図７】同組立途上の平面図である。
【図８】同組立途上の平面図である。
【図９】同組立途上の平面図である。
【図１０】他の実施形態の紙製携帯電話機用スタンドの斜視図である。
【符号の説明】
１…後傾正面板
２…窓孔
７…底面部
７ａ…第１底面部材
７ｂ…第２底面部材
８…クッション部
１０…背板
１１…左右側板外壁
１２…三角形状内壁
１３…方形状内壁
１４…差し込み片
【図１】
0003097131.tif 000003
【図２】
0003097131.tif 000004
【図３】
0003097131.tif 000005
【図４】
0003097131.tif 000006
【図５】
0003097131.tif 000007
【図６】
0003097131.tif 000008
【図７】
0003097131.tif 000009
【図８】
0003097131.tif 000010
【図９】
0003097131.tif 000011
【図１０】
0003097131.tif 000012